(57)【要約】      （修正有）【課題】高エネルギーの場では、熱と引力はどのようになるか。【解決手段】高エネルギーの場では、その場の温度をＡ２℃とすると、光子の公転軌道軌道エネルギーは、１．２３３×１０−４１Ｊｍ×Ａです。それで、１原子が１秒間に作る引力と成る磁気の光子の公転軌道エネルギーは、１．２３３×１０−４１Ｊｍ×Ａ÷（６．１×１０−４ｍ）×６．３３６×１０１５公転×１．０５８×１０−１０ｍ＝１．３５６×１０−３２Ｊｍ×Ａです。【選択図】図２
2007274890.tif 000002
【特許請求の範囲】
【請求項１】
引力ができるためには、公転軌道が同じでなければならない。
引力は磁気の光子がかみ合いながら反対方向に進む事によってできる。よって、引力ができるためには磁気の進む方向が反対で、公転軌道が同じでなければならない。
【請求項２】
１原子から出発する磁気の光子の特定の公転軌道エネルギーが引力に成っている。
１原子から出発する光子の軌道は次第に大きくなるので、たくさんの波長があります。しかし、１原子で引力に成る磁気の光子の軌道エネルギーは定数です。１．３５６×１０−３２Ｊです。この事は、１原子から出発する磁気の光子の特定の公転軌道エネルギーが引力に成っていることを示します。
【請求項３】
引力と成る磁気の光子の公転軌道はいくらか。
原子が１秒間に作る、磁気の光子の公転軌道がある波長（軌道）に成った時、引力になると考える。
引力に成る磁気の光子の公転軌道をｘｍとする。
引力に成る磁気の光子のエネルギー×１秒間にできる磁気の光子の公転数×１．０５８×１０−１０ｍ＝１．２３３×１０−４１Ｊｍ÷ｘｍ×６．３３６×１０１５公転×１．０５８×１０−１０ｍ＝１．３５６×１０−３２Ｊｍ
ｘｍ＝６．１×１０−４ｍ
引力に成る軌道は、６．１×１０−４ｍです。
但し、１．０５８×１０−１０ｍは、光子の公転軌道エネルギーが１．２３３×１０−４１Ｊｍになる場の電子のラブの公転軌道です。
引力に成る軌道は、６．１×１０−４ｍです。この波長は１．２２×１０−３ｍです。
引力に成る軌道を「引力の軌道」「引力の輪」と名づける。「引力の軌道」「引力の輪」は、６．１×１０−４ｍです。
【請求項４】
引力に成る軌道は、６．１×１０−４ｍです。この波長は１．２２×１０−３ｍです。地表から出る光子の波長はどれ位か。地表から出る光子の波長が何倍に成ると引力に成る波長に成るか。
地熱があります。これは、地表から出発する光子は遠赤外線であるからです。地表から出発した光子は波長を大きくしながら上にあがります。地上で、光子の波長は遠赤外線より大きく成ります。
私は、２００７年２月１８日に提出した特許願の「請求項７」で、熱になる遠赤外線の軌道は、２．０６６×１０−５ｍで、波長は、４．１３２×１０−５ｍです。と記した。
それで、地表から出発する光子は遠赤外線で軌道は２．０６６×１０−５ｍで、波長は、４．１３２×１０−５ｍです。地表から出発した光子は波長を大きくしながら上にあがります。地上で、光子の波長は遠赤外線より大きくなります。そして、光子の軌道が６．１×１０−４ｍで、波長が１．２２×１０−３ｍに成った時、引力になります。
地下から出る光子の波長は遠赤外線で、４．１３２×１０−５ｍです。
その波長が何倍になると、引力になる波長に成るか。
１．２２×１０−３ｍ÷（４．１３２×１０−５ｍ）＝２９．５３
２９．５３倍になると、引力になる波長に成る。
【請求項５】
高エネルギーの場において、ラブの軌道エネルギーと、光子の軌道エネルギーはどのようであるか。
場の温度がＡ２℃である場合。
電子の公転軌道は、１．０５８×１０−１０ｍ÷Ａ  です。１．０５８×１０−１０ｍの公転軌道の中に、Ａ倍の電子のラブが存在します。
それで、１．０５８×１０−１０ｍのエネルギーは、地上のＡ倍です。
地上では、１．０５８×１０−１０ｍのエネルギーは、
ラブの軌道エネルギー÷軌道＝８．６６５×１０−２４Ｊｍ÷（１．０５８×１０−１０ｍ）＝８．１９×１０−１４Ｊです。
この場の１．０５８×１０−１０ｍのエネルギーは、８．１９×１０−１４Ｊ×Ａです。
それで、この場のラブの軌道エネルギーは、軌道×軌道のエネルギー＝１．０５８×１０−１０ｍ×８．１９×１０−１４Ｊ×Ａ＝８．６６５×１０−２４Ｊｍ×Ａです。
この場では、地上のＡ倍の電子のラブが作る光子の数も地上のＡ倍になります。
それで、光子の軌道エネルギーもＡ倍に成ります。
この場の、光子の公転軌道エネルギーは、１．２３３×１０−４１Ｊｍ×Ａです。
この場の、光子の自転軌道エネルギーは、６．１１２×１０−５７Ｊｍ×Ａです。
【請求項６】
高エネルギーの場において、１原子で１秒間にできる、引力と成る磁気の光子の公転軌道エネルギーはいくらか。
この場の、引力と成る「引力の軌道」「引力の輪」のエネルギーは、
光子の公転軌道エネルギー÷引力の軌道＝１．２３３×１０−４１Ｊｍ×Ａ÷（６．１×１０−４ｍ）＝２．０２１×１０−３８Ｊ×Ａです。
この場の、引力と成る「引力の軌道」「引力の輪」の公転軌道エネルギーは、
引力の輪のエネルギー×１．０５８×１０−１０ｍ＝２．０２１×１０−３８Ｊ×Ａ×１．０５８×１０−１０ｍ＝２．１３８×１０−４８Ｊｍ×Ａです。
この場で、１原子が１秒間に作る引力と成る磁気の光子の公転軌道エネルギーは、
引力の輪の公転軌道エネルギー×１秒間の公転数＝２．１３８×１０−４８Ｊｍ×Ａ×６．３３６×１０１５公転＝１．３５５×１０−３２Ｊｍ×Ａです。
【請求項７】
高エネルギーの場において、１原子で１秒間にできる、熱と成る電気の光子のエネルギーはいくらか。
熱と成る遠赤外線の軌道は、２．０６６×１０−５ｍです。これを、「熱の軌道」「熱の輪」と名づける。
この場の、熱と成る「熱の軌道」「熱の輪」のエネルギーは、
光子の公転軌道エネルギー÷熱の軌道＝１．２３３×１０−４１Ｊｍ×Ａ÷（２．０６６×１０−５ｍ）＝５．９６８×１０−３７Ｊ×Ａです。
この場で、１原子が１秒間に作る熱と成る電気の光子のエネルギーは、
熱の輪のエネルギー×１秒間の公転数＝５．９６８×１０−３７Ｊｍ×Ａ×６．３３６×１０１５公転＝３．７８１×１０−２１Ｊｍ×Ａ＝Ａ℃です。
１つの式で表す。
光子の公転軌道エネルギー÷熱の軌道×１秒間の公転数＝１．２３３×１０−４１Ｊｍ×Ａ÷（２．０６６×１０−５ｍ）×６．３３６×１０１５公転＝３．７８１×１０−２１Ｊｍ×Ａ＝Ａ℃
高エネルギーの場における式。
2007274890.tif 000009
【請求項８】
地球の地下における１原子が１秒間に作る引力と成る磁気の光子の公転軌道エネルギーはいくらか。
・地下６５００Ｋｍの温度は７３２７℃です。温度１／２＝８５．６℃  Ａ＝８５．６
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×８５．６÷（６．１×１０−４ｍ）×６．３３６×１０１５公転×１．０５８×１０−１０ｍ＝１．３５６×１０−３２Ｊｍ×８５．６＝１．１６１×１０−３０Ｊｍ
この場の引力は、地上の７３２７倍です。
・地下６０００Ｋｍの温度は６０００℃です。温度１／２＝７７．４６℃  Ａ＝７７．４６
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×７７．４６÷（６．１×１０−４ｍ）×６．３３６×１０１５公転×１．０５８×１０−１０ｍ＝１．３５６×１０−３２Ｊｍ×７７．４６＝１．０５０×１０−３０Ｊｍ
この場の引力は、地上の６０００倍です。
・地下５０００Ｋｍの温度は５０００℃です。温度１／２＝７０．７１℃  Ａ＝７０．７１
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×７０．７１÷（６．１×１０−４ｍ）×６．３３６×１０１５公転×１．０５８×１０−１０ｍ＝１．３５６×１０−３２Ｊｍ×７０．７１＝９．５８８×１０−３１Ｊｍ
この場の引力は、地上の５０００倍です。
・地下４０００Ｋｍの温度は４０００℃です。温度１／２＝６３．２５℃  Ａ＝６３．２５
１原子が１秒間に作る引力と成る磁気の光子の公転軌道エネルギーは、
その場の光子の公転軌道エネルギー÷引力の軌道×１．秒間の公転数×１．０５８×１０−１０ｍ＝１．２３３×１０−４１Ｊｍ×６３．２５÷（６．１×１０−４ｍ）×６．３３６×１０１５公転×１．０５８×１０−１０ｍ＝１．３５６×１０−３２Ｊｍ×６３．２５＝８．５７７×１０−３１Ｊｍ
この場の引力は地上の４０００倍です
・地下３０００Ｋｍの温度は３０００℃です。温度１／２＝５４．７７℃  Ａ＝５４．７７
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×５４．７７÷（６．１×１０−４ｍ）×６．３３６×１０１５公転×１．０５８×１０−１０ｍ＝１．３５６×１０−３２Ｊｍ×５４．７７＝７．４２７×１０−３１Ｊｍ
この場の引力は、地上の３０００倍です。
・地下２０００Ｋｍの温度は２０００℃です。温度１／２＝４４．７２℃  Ａ＝４４．７２
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×５４．７７÷（６．１×１０−４ｍ）×６．３３６×１０１５公転×１．０５８×１０−１０ｍ＝１．３５６×１０−３２Ｊｍ×４４．７２＝６．０６４×１０−３１Ｊｍ
この場の引力は、地上の２０００倍です。
・地下１０００Ｋｍの温度は１０００℃です。温度１／２＝３１．６２３℃  Ａ＝３１．６２３
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×３１．６２３÷（６．１×１０−４ｍ）×６．３３６×１０１５公転×１．０５８×１０−１０ｍ＝１．３５６×１０−３２Ｊｍ×３１．６２３＝４．２８８×１０−３１Ｊｍ
この場の引力は、地上の１０００倍です。
【請求項９】
太陽の深さにおける、１原子が１秒間に作る引力と成る磁気の光子の公転軌道エネルギーはいくらか。
・太陽の深さ７×１０５Ｋｍの温度は１５×１０６℃です。温度１／２＝３．８７３×１０３℃  Ａ＝３．８７３×１０３
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×３．８７３×１０３÷（６．１×１０−４ｍ）×６．３３６×１０１５公転×１．０５８×１０−１０ｍ＝１．３５６×１０−３２Ｊｍ×３．８７３×１０３＝５．２５２×１０−２９Ｊｍ
この場の引力は、地上の１５×１０６倍です。
・太陽の深さ６×１０５Ｋｍの温度は１５×１０６℃です。温度１／２＝３．８７３×１０３℃  Ａ＝３．８７３×１０３
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×３．８７３×１０３÷（６．１×１０−４ｍ）×６．３３６×１０１５公転×１．０５８×１０−１０ｍ＝１．３５６×１０−３２Ｊｍ×３．８７３×１０３＝５．２５２×１０−２９Ｊｍ
この場の引力は、地上の１５×１０６倍です。
・太陽の深さ５×１０５Ｋｍの温度は１１．７×１０６℃です。温度１／２＝３．４２８×１０３℃  Ａ＝３．４２８×１０３
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×３．４２８×１０３÷（６．１×１０−４ｍ）×６．３３６×１０１５公転×１．０５８×１０−１０ｍ＝１．３５６×１０−３２Ｊｍ×３．４２８×１０３＝４．６４８×１０−２９Ｊｍ
この場の引力は、地上の１１．７×１０６倍です。
・太陽の深さ４×１０５Ｋｍの温度は８．５×１０６℃です。温度１／２＝２．９１５×１０３℃  Ａ＝２．９１５×１０３
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×２．９１５×１０３÷（６．１×１０−４ｍ）×６．３３６×１０１５公転×１．０５８×１０−１０ｍ＝１．３５６×１０−３２Ｊｍ×２．９１５×１０３＝３．９５３×１０−２９Ｊｍ
この場の引力は、地上の８．５×１０６倍です。
・太陽の深さ３×１０５Ｋｍの温度は５．２５×１０６℃です。温度１／２＝２．２９１×１０３℃  Ａ＝２．２９１×１０３
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×２．２９１×１０３÷（６．１×１０−４ｍ）×６．３３６×１０１５公転×１．０５８×１０−１０ｍ＝１．３５６×１０−３２Ｊｍ×２．２９１×１０３＝３．１０７×１０−２９Ｊｍ
この場の引力は、地上の５．２５×１０６倍です。
・太陽の深さ２×１０５Ｋｍの温度は２×１０６℃です。温度１／２＝１．４１４×１０３℃  Ａ＝１．４１４×１０３
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×１．４１４×１０３÷（６．１×１０−４ｍ）×６．３３６×１０１５公転×１．０５８×１０−１０ｍ＝１．３５６×１０−３２Ｊｍ×１．４１４×１０３＝１．９１７×１０−２９Ｊｍ
この場の引力は、地上の２×１０６倍です。
・太陽の深さ１０５Ｋｍの温度は１０６℃です。温度１／２＝１０３℃  Ａ＝１０３
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×１０３÷（６．１×１０−４ｍ）×６．３３６×１０１５公転×１．０５８×１０−１０ｍ＝１．３５６×１０−３２Ｊｍ×１０３＝１．３５６×１０−２９Ｊｍ
この場の引力は、地上の１０６倍です。
・太陽の深さ１０４Ｋｍの温度は１０５℃です。温度１／２＝３．１６２×１０２℃  Ａ＝３．１６２×１０２
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×３．１６２×１０２÷（６．１×１０−４ｍ）×６．３３６×１０１５公転×１．０５８×１０−１０ｍ＝１．３５６×１０−３２Ｊｍ×３．１６２×１０２＝４．２８８×１０−３０Ｊｍ
この場の引力は、地上の１０５倍です。
・太陽の深さ１０３Ｋｍの温度は１０４℃です。温度１／２＝１０２℃  Ａ＝１０２
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×１０２÷（６．１×１０−４ｍ）×６．３３６×１０１５公転×１．０５８×１０−１０ｍ＝１．３５６×１０−３２Ｊｍ×１０２＝１．３５６×１０−３０Ｊｍ
この場の引力は、地上の１０４倍です。
・太陽の深さ４×１０２Ｋｍの温度は６．４×１０３℃です。温度１／２＝８０℃  Ａ＝８０
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×８０÷（６．１×１０−４ｍ）×６．３３６×１０１５公転×１．０５８×１０−１０ｍ＝１．３５６×１０−３２Ｊｍ×８０＝１．０８５×１０−３０Ｊｍ
この場の引力は、地上の６．４×１０３倍です。
・太陽の深さ１Ｋｍの温度は４．３×１０３℃です。温度１／２＝６５．５７４℃  Ａ＝６５．５７４
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×６５．５７４÷（６．１×１０−４ｍ）×６．３３６×１０１５公転×１．０５８×１０−１０ｍ＝１．３５６×１０−３２Ｊｍ×６５．５７４＝８．８９２×１０−３１Ｊｍ
この場の引力は、地上の４．３×１０３倍です。
【請求項１０】
万有引力定数が１Ｊｍ／Ｋｇ２とはどのような現象か。空間が縮小するとはどのような事か。
▲１▼万有引力定数が１Ｊｍ／Ｋｇ２になる場合、Ａはいくらか。
６．６７２×１０−１１Ｊｍ×Ａ２＝１Ｊｍ
Ａ２＝１．４９８８×１０１０
Ａ＝１．２２４×１０５
Ａは１．２２４×１０５です。
この場の温度は、１．５×１０１０℃です。
この場の電子のラブの公転軌道は、１．０５８×１０−１０ｍ÷（１．２２４×１０５）＝８．６４４×１０−１６ｍです。
この場の電子のラブのエネルギーは、８．１８７×１０−１４Ｊ×１．２２４×１０５＝１０−８Ｊです。
この場の電子のラブが１秒間に作る引力と成る磁気の光子の公転軌道エネルギーは、１．３５６×１０−３２Ｊｍ×１．２２４×１０５＝１．６６０×１０−２７Ｊｍです。
この場の引力は、地球の引力の１．５×１０１０倍です。
この場の万有引力定数は、６．６７２×１０−１１Ｊｍ／Ｋｇ２×１．４９８８×１０１０＝１Ｊｍ／Ｋｇ２
▲２▼地上で、１Ｊｍの引力を作るためには、１ｍ離れた所に何Ｋｇの物体が必要か。
物体の質量をｘＫｇとする。
１Ｋｇ：ｘ２Ｋｇ＝６．６７２×１０−１１Ｊｍ：１Ｊｍ
ｘ２＝１÷（６．６７２×１０−１１）＝１．４９８８×１０１０
ｘ＝１．２２４×１０５
地上で、１Ｊｍの引力を作るためには、１ｍ離れた所に１．２２４×１０５Ｋｇの物体が必要です。
▲３▼万有引力定数が１Ｊｍの場では、電子のラブの公転軌道は、地上の１．２２４×１０５分の１です。
万有引力定数が１Ｊｍの場では、空間が地上の１．２２４×１０５分の１に成ります。
これが、空間が縮小するという事です。
▲４▼空間が縮小するとはどのような事か。
場の温度がＡ２℃の場合、電子のラブの公転軌道は、地上のＡ分の１になる。
それによって、空間はＡ分の１に縮小する。
▲５▼万有引力定数が１Ｊｍの場では、６．６７２×１０−１１Ｊｍの引力を得るためには、何ｍ離れたらよいか。
ｘｍ離れたら６．６７２×１０−１１Ｊｍの引力に成るとする。
１ｍ：１÷ｘ２ｍ＝６．６７２×１０−１１Ｊｍ：１Ｊｍ
ｘ２＝６．６７２×１０−１１
ｘ＝８．１６８×１０−６（ｍ）
万有引力定数が１Ｊｍの場では、６．６７２×１０−１１Ｊｍの引力を得るためには、８．１６８×１０−６ｍ離れたらよい。
１ｍ÷（８．１６８×１０−６ｍ）＝１．２２４×１０５
万有引力定数が１Ｊｍの場では、空間が地上の１．２２４×１０５分の１に縮小します。
これが、空間は縮小することの現象です。
即ち、高エネルギーの場では、電子のラブの公転軌道はＡ分の１になり、空間はＡ分の１に縮小する。
また、エネルギーはＡ倍に成る。
【請求項１１】
太陽より大きな星の中はどのようであるか。
太陽の中心は１５×１０６℃です。Ａ＝３．８７３×１０３です。
この場の引力は、地上の１５×１０６倍で、万有引力定数は、
６．６７２×１０−１１Ｊｍ×１５×１０６＝１０−３Ｊｍです。
太陽より大きな星で、星の中央の温度が、地球の中央の１００倍である場合。
温度は、１．５×１０９℃です。
Ａ２＝１５×１０８
Ａ＝３．８７３×１０４です。
この星の中央の万有引力係数は、６．６７２×１０−１１Ｊｍ×１５×１０８＝１０−１Ｊｍです。
この場の、電子のラブの公転軌道は、１．０５８×１０−１０ｍ÷（３．８７３×１０４）＝２．７３２×１０−１５ｍです。
この場の、電子のラブのエネルギーは、８．１８７×１０−１４Ｊ×３．８７３×１０４＝３．１７１×１０−９Ｊです。
この場の、陽子のラブの公転軌道は、５．７６４×１０−１４ｍ÷（３．８７３×１０４）＝１．４８８×１０−１８ｍです。
この場の、陽子のラブのエネルギーは、１．５×１０−１０Ｊ×３．８７３×１０４＝５．８１０×１０−６Ｊです。
この場の光子の公転軌道エネルギーは、１．２３３×１０−４１Ｊｍ×３．８７３×１０４＝４．７７５×１０−３７Ｊｍです。
この場の、１電子のラブが１秒間に作る、引力と成る磁気の光子の公転軌道エネルギーは、
１．３５６×１０−３２Ｊｍ×３．８７３×１０４＝５．２５２×１０−２８Ｊｍです。
この場の、１電子のラブが１秒間に作る、熱と成る電気の光子のエネルギーは、
３．７８１×１０−２１Ｊ×３．８７３×１０４＝３．８７３×１０４℃です。
この星が爆発し、中央は引力が大きいため壊れず、ブラックホールになったと考えられる。
【請求項１２】
ブラックホールの場はどのようであるか。
ブラックホールは、太陽の質量の３０倍の星が爆発した後に残る、高エネルギーの中央部分が収縮したものです。
太陽より大きな星で、星の中央の温度が太陽の１００倍である場合。
この星の中央の温度は、１５×１０６℃×１００＝１５×１０８℃です。
この星の中央の万有引力係数は、６．６７２×１０−１１Ｊｍ×１５×１０８＝１０−１Ｊｍです。
しかし、ブラックホールになると、更に収縮するので、
ブラックホールの場は、万有引力係数が１Ｊｍであると考える。
この場の温度は、１．５×１０１０℃です。引力は地上の１．５×１０１０倍です。
これがブラックホールから放出している。
「熱の輪」である、２．０６６×１０−５ｍの軌道の電気の光子は、熱に成ります。
「引力の輪」である、６．１×１０−４ｍの軌道の磁気の光子は、引力に成ります。
ブラックホールの性質を示す。
2007274890.tif 000010
ブラックホールの中の電子のラブと陽子のラブは自転し公転しているので、熱となる電気の光子と引力となる磁気の光子を放出する。
ブラックホールは一定方向に自転するので、上下にジェット噴射する。
ブラックホールのジェット噴射は、ブラックホールの中央でできた電気の光子と磁気の光子です。ブラックホールのジェット噴射は、地球の地磁気に相当します。
ブラックホールでできた磁気の光子や電気の光子は、地球の地熱や引力の様に中央から外側に放射状に放出します。
ブラックホールが光子を吸収する現象は、ブラックホールの光子の公転軌道エネルギーが、１．２３３×１０−４１Ｊｍ×１．２２４７×１０５＝１．５１×１０−３６Ｊｍであり、光子の軌道エネルギーは１．２３３×１０−４１Ｊｍであるので、光子はブラックホールの光子の軌道エネルギーの中に吸収されてしまう事です。
【請求項１３】
中性子星の場はどのようであるか。
中性子星は、太陽の質量の８倍以上の星が爆発してできた、高エネルギーの中央部が収縮してできたものです。
太陽の質量の８倍の星の中央部の温度は、太陽の中央の６４倍ですから、
１５×１０６×６４＝９．６×１０８℃です。
Ａ２＝９．６×１０８
Ａ＝３．０９８×１０４です。
この場の万有引力は、地上の９．６×１０８倍ですから、
６．６７２×１０−１１Ｊｍ×９．６×１０８＝６．４０５×１０−２Ｊｍです。
中性子星は太陽の質量の８倍以上の星が爆発し、中央の部分が収縮してできたものですから、中性子星の中央の温度は、これより大きいです。
中性子星の中央の温度を１０倍とします。
中性子星になって、１０１／２＝３．１６２分の１の大きさに収縮しました。
中性子の中央の温度は、９．６×１０８℃×１０＝９．６×１０９℃です。
それで、中性子星のＡ２は、９．６×１０９です。
中性子星のＡは、９．７９８×１０４です。
中性子星の性質を示す。
2007274890.tif 000011
中性子の電子のラブと中性子の陽子のラブの性質については、２００６年１２月６日に提出した、特願２００６−３５７０９６に記した。
中性子の１秒間の公転数は、３．４５５×１０１２公転であるので、電子のラブの、６．３３６×１０１５公転÷（３．４５５×１０１２公転）＝１８３４  １８３４分の１です。この事によって、中性子の１電子のラブが１秒間に作る熱と成る電気の光子のエネルギーと引力と成る磁気の光子の軌道エネルギーは、小さくなっている。
地表のエネルギーの、
９．７９８×１０４÷１８３４＝５．３４２×１０倍になっている
【発明の詳細な説明】
【技術分野】
【０００１】  この発明は、熱と引力に関する。高エネルギーの場の熱と引力に関する。ブラックホールに関する。中性子星に関する。
【背景技術】
【０００２】  地上の万有引力は、６．６７２×１０−１１Ｎｍ２／Ｋｇです。熱は遠赤外線でできる。ブラックホールは、太陽の質量の３０倍の星が爆発したとき、中央部が収縮してできる。中性子星は、太陽の質量の８倍の星が爆発したとき、中央部が収縮してできる。
【発明の開示】
１．熱となる電気の光子の公転軌道が遠赤外線である。同じように、引力と成る磁気の光子の公転軌道も一定であると考える。
２．熱は、電子のラブが１秒間に作る電気の光子が遠赤外線に成った時できる。同じように、引力も電子のラブが１秒間に作る磁気の光子が一定の公転軌道に成った時できると考える。
３．引力は、進む方向が反対で、軌道が同じ磁気の光子がコイルのようにかみ合う事によってできる力である。
よって、かみ合う軌道の大きさは一定であると考える。
４．１原子でできる引力と成る磁気の光子の公転軌道エネルギーが１．３５６×１０−３２Ｊｍと、一定である。この事は、電子のラブが作った磁気の光子は拡大するので、特定の軌道の光子が引力になると考える。
これらの考えから、引力と成る特定の磁気の光子の公転軌道を求める。
【発明が解決しようとする課題】
【０００３】１．引力ができるためには、公転軌道が同じでなければならない。
２．１原子から出発する磁気の光子のうち、特定の公転軌道が引力に成っている。
３．引力と成る磁気の光子の公転軌道はいくらか。
４．引力に成る軌道は、６．１×１０−４ｍです。この波長は１．２２×１０−３ｍです。地表から出る光子の波長はどれ位か。地表から出る光子の波長が何倍に成ると引力に成る波長に成るか。
５．高エネルギーの場において、ラブの軌道エネルギーと、光子の軌道エネルギーはどのようであるか。
６．高エネルギーの場において、１原子で１秒間にできる、引力と成る磁気の光子の公転軌道エネルギーはいくらか。
７．高エネルギーの場において、１原子で１秒間にできる、熱と成る電気の光子のエネルギーはいくらか。
８．地球の地下における１原子が１秒間に作る引力と成る磁気の光子の公転軌道エネルギーはいくらか。
９．太陽の深さにおける、１原子が１秒間に作る引力と成る磁気の光子の公転軌道エネルギーはいくらか。
１０．万有引力定数が１Ｊｍ／Ｋｇ２とはどのような現象か。空間が縮小するとはどのような事か。
１１．太陽より大きな星の中はどのようであるか。
１２．ブラックホールの場はどのようであるか。
１３．中性子星の場はどのようであるか。
【発明を解決するための手段】
【０００４】引力と成る特定の磁気の光子の公転軌道をｘｍとする。電子のラブが１秒間で作る磁気の光子がｘｍの軌道に成った時、１．３５６×１０−３２Ｊの磁気の光子の公転軌道エネルギーができるとする。
高エネルギーの場の温度がＡ２℃の場合、電子のラブの公転軌道が、１．０５８×１０−１０ｍ÷Ａで、１．０５８×１０−１０ｍの軌道はＡ倍のエネルギーとなる。この事によって、ラブの公転軌道のエネルギーはＡ×８．６６５×１０−２４Ｊｍとなる。
１秒間にできる光子の数もＡ倍に成るので、その場の光子の軌道エネルギーもＡ倍に成る。
ブラックホールは、太陽の質量の３０倍の星が爆発した時、中央部の物体が収縮してできたものである。その星の中央部の温度は、太陽の中央の約１００倍の温度ですから、１５×１０６℃×１００＝１５×１０８℃です。Ａ２＝１５×１０８  Ａ＝３．８７３×１０４です。ブラックホールは、更に収縮したものなので、電子のラブの公転軌道は更に小さくなる。１０１／２分の１に成るとする。
温度は１０倍になる。ブラックホールのＡ２＝１５×１０９  Ａ＝１．２２５×１０５です。
【発明の実施態様】
【０００５】１．引力ができるためには、公転軌道が同じでなければならない。
引力は磁気の光子がかみ合いながら反対方向に進む事によってできる。よって、引力ができるためには磁気の進む方向が反対で、公転軌道が同じでなければならない。
２．１原子から出発する磁気の光子の特定の公転軌道が引力に成っている。
１原子から出発する光子の軌道は次第に大きくなるので、たくさんの波長があります。しかし、１原子で引力に成る磁気の光子の軌道エネルギーは定数です。１．３５６×１０−３２Ｊです。この事は、１原子から出発する磁気の光子の特定の公転軌道が引力に成っていることを示します。
３．引力と成る磁気の光子の公転軌道はいくらか。
原子が１秒間に作る、磁気の光子の公転軌道がある波長（軌道）に成った時、引力になると考える。
引力に成る磁気の光子の公転軌道をｘｍとする。
引力に成る磁気の光子のエネルギー×１秒間にできる磁気の光子の公転数×１．０５８×１０−１０ｍ＝１．２３３×１０−４１Ｊｍ÷ｘｍ×６．３３６×１０１５公転×１．０５８×１０−１０ｍ＝１．３５６×１０−３２Ｊｍ
ｘｍ＝６．１×１０−４ｍ
引力に成る軌道は、６．１×１０−４ｍです。
但し、１．０５８×１０−１０ｍは、光子の公転軌道エネルギーが１．２３３×１０−４１Ｊｍになる場の電子のラブの公転軌道です。
引力に成る軌道は、６．１×１０−４ｍです。この波長は１．２２×１０−３ｍです。
引力に成る軌道を「引力の軌道」「引力の輪」と名づける。
「引力の軌道」「引力の輪」は、６．１×１０−４ｍです。
４．引力に成る軌道は、６．１×１０−４ｍです。この波長は１．２２×１０−３ｍです。地表から出る光子の波長はどれ位か。地表から出る光子の波長が何倍に成ると引力に成る波長に成るか。
地熱があります。これは、地表から出発する光子は遠赤外線であるからです。地表から出発した光子は波長を大きくしながら上にあがります。地上で、光子の波長は遠赤外線より大きく成ります。
私は、２００７年２月１８日に提出した特許願の「請求項７」で、熱になる遠赤外線の軌道は、２．０６６×１０−５ｍで、波長は、４．１３２×１０−５ｍです。と記した。
それで、地表から出発する光子は遠赤外線で軌道は２．０６６×１０−５ｍで、波長は、４．１３２×１０−５ｍです。地表から出発した光子は波長を大きくしながら上にあがります。地上で、光子の波長は遠赤外線より大きくなります。そして、光子の軌道が６．１×１０−４ｍで、波長が１．２２×１０−３ｍに成った時、引力になります。
地下から出る光子の波長は遠赤外線で、４．１３２×１０−５ｍです。
その波長が何倍になると、引力になる波長に成るか。
１．２２×１０−３ｍ÷（４．１３２×１０−５ｍ）＝２９．５３
２９．５３倍になると、引力になる波長に成る。
５．高エネルギーの場において、ラブの軌道エネルギーと、光子の軌道エネルギーはどのようであるか。
場の温度がＡ２℃である場合。
電子の公転軌道は、１．０５８×１０−１０ｍ÷Ａ  です。１．０５８×１０−１０ｍの公転軌道の中に、Ａ倍の電子のラブが存在します。
それで、１．０５８×１０−１０ｍのエネルギーは、地上のＡ倍です。
地上では、１．０５８×１０−１０ｍのエネルギーは、
ラブの軌道エネルギー÷軌道＝８．６６５×１０−２４Ｊｍ÷（１．０５８×１０−１０ｍ）＝８．１９×１０−１４Ｊです。
この場の１．０５８×１０−１０ｍのエネルギーは、８．１９×１０−１４Ｊ×Ａです。
それで、この場のラブの軌道エネルギーは、軌道×軌道のエネルギー＝１．０５８×１０−１０ｍ×８．１９×１０−１４Ｊ×Ａ＝８．６６５×１０−２４Ｊｍ×Ａです。
この場では、地上のＡ倍の電子のラブが作る光子の数も地上のＡ倍になります。
それで、光子の軌道エネルギーもＡ倍に成ります。
この場の、光子の公転軌道エネルギーは、１．２３３×１０−４１Ｊｍ×Ａです。
この場の、光子の自転軌道エネルギーは、６．１１２×１０−５７Ｊｍ×Ａです。
６．高エネルギーの場において、１原子で１秒間にできる、引力と成る磁気の光子の公転軌道エネルギーはいくらか。
この場の、引力と成る「引力の軌道」「引力の輪」のエネルギーは、
光子の公転軌道エネルギー÷引力の軌道＝１．２３３×１０−４１Ｊｍ×Ａ÷（６．１×１０−４ｍ）＝２．０２１×１０−３８Ｊ×Ａです。
この場の、引力と成る「引力の軌道」「引力の輪」の公転軌道エネルギーは、
引力の輪のエネルギー×１．０５８×１０−１０ｍ＝２．０２１×１０−３８Ｊ×Ａ×１．０５８×１０−１０ｍ＝２．１３８×１０−４８Ｊｍ×Ａです。
この場で、１原子が１秒間に作る引力と成る磁気の光子の公転軌道エネルギーは、
引力の輪の公転軌道エネルギー×１秒間の公転数＝２．１３８×１０−４８Ｊｍ×Ａ×６．３３６×１０１５公転＝１．３５５×１０−３２Ｊｍ×Ａです。
７．高エネルギーの場において、１原子で１秒間にできる、熱と成る電気の光子のエネルギーはいくらか。
熱と成る遠赤外線の軌道は、２．０６６×１０−５ｍです。これを、「熱の軌道」「熱の輪」と名づける。
この場の、熱と成る「熱の軌道」「熱の輪」のエネルギーは、
光子の公転軌道エネルギー÷熱の軌道＝１．２３３×１０−４１Ｊｍ×Ａ÷（２．０６６×１０−５ｍ）＝５．９６８×１０−３７Ｊ×Ａです。
この場で、１原子が１秒間に作る熱と成る電気の光子のエネルギーは、
熱の輪のエネルギー×１秒間の公転数＝５．９６８×１０−３７Ｊｍ×Ａ×６．３３６×１０１５公転＝３．７８１×１０−２１Ｊｍ×Ａ＝Ａ℃です。
１つの式で表す。
光子の公転軌道エネルギー÷熱の軌道×１秒間の公転数＝１．２３３×１０−４１Ｊｍ×Ａ÷（２．０６６×１０−５ｍ）×６．３３６×１０１５公転＝３．７８１×１０−２１Ｊｍ×Ａ＝Ａ℃
高エネルギーの場における式。
2007274890.tif 000003
2007274890.tif 000004
８．地球の地下における１原子が１秒間に作る引力と成る磁気の光子の公転軌道エネルギーはいくらか。
・地下６５００Ｋｍの温度は７３２７℃です。温度１／２＝８５．６℃  Ａ＝８５．６
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×８５．６÷（６．１×１０−４ｍ）×６．３３６×１０１５公転×１．０５８×１０−１０ｍ＝１．３５６×１０−３２Ｊｍ×８５．６＝１．１６１×１０−３０Ｊｍ
この場の引力は、地上の７３２７倍です。
・地下６０００Ｋｍの温度は６０００℃です。温度１／２＝７７．４６℃  Ａ＝７７．４６
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×７７．４６÷（６．１×１０−４ｍ）×６．３３６×１０１５公転×１．０５８×１０−１０ｍ＝１．３５６×１０−３２Ｊｍ×７７．４６＝１．０５０×１０−３０Ｊｍ
この場の引力は、地上の６０００倍です。
・地下５０００Ｋｍの温度は５０００℃です。温度１／２＝７０．７１℃  Ａ＝７０．７１
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×７０．７１÷（６．１×１０−４ｍ）×６．３３６×１０１５公転×１．０５８×１０−１０ｍ＝１．３５６×１０−３２Ｊｍ×７０．７１＝９．５８８×１０−３１Ｊｍ
この場の引力は、地上の５０００倍です。
・地下４０００Ｋｍの温度は４０００℃です。温度１／２＝６３．２５℃  Ａ＝６３．２５
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×６３．２５÷（６．１×１０−４ｍ）×６．３３６×１０１５公転×１．０５８×１０−１０ｍ＝１．３５６×１０−３２Ｊｍ×６３．２５＝８．５７７×１０−３１Ｊｍ
この場の引力は地上の４０００倍です
・地下３０００Ｋｍの温度は３０００℃です。温度１／２＝５４．７７℃  Ａ＝５４．７７
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×５４．７７÷（６．１×１０−４ｍ）×６．３３６×１０１５公転×１．０５８×１０−１０ｍ＝１．３５６×１０−３２Ｊｍ×５４．７７＝７．４２７×１０−３１Ｊｍ
この場の引力は、地上の３０００倍です。
・地下２０００Ｋｍの温度は２０００℃です。温度１／２＝４４．７２℃  Ａ＝４４．７２
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×５４．７７÷（６．１×１０−４ｍ）×６．３３６×１０１５公転×１．０５８×１０−１０ｍ＝１．３５６×１０−３２Ｊｍ×４４．７２＝６．０６４×１０−３１Ｊｍ
この場の引力は、地上の２０００倍です。
・地下１０００Ｋｍの温度は１０００℃です。温度１／２＝３１．６２３℃  Ａ＝３１．６２３
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×３１．６２３÷（６．１×１０−４ｍ）×６．３３６×１０１５公転×１．０５８×１０−１０ｍ＝１．３５６×１０−３２Ｊｍ×３１．６２３＝４．２８８×１０−３１Ｊｍ
この場の引力は、地上の１０００倍です。
９．太陽の深さにおける、１原子が１秒間に作る引力と成る磁気の光子の公転軌道エネルギーはいくらか。
・太陽の深さ７×１０５Ｋｍの温度は１５×１０６℃です。温度１／２＝３．８７３×１０３℃  Ａ＝３．８７３×１０３
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×３．８７３×１０３÷（６．１×１０−４ｍ）×６．３３６×１０１５公転×１．０５８×１０−１０ｍ＝１．３５６×１０−３２Ｊｍ×３．８７３×１０３＝５．２５２×１０−２９Ｊｍ
この場の引力は、地上の１５×１０６倍です。
・太陽の深さ６×１０５Ｋｍの温度は１５×１０６℃です。温度１／２＝３．８７３×１０３℃  Ａ＝３．８７３×１０３
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×３．８７３×１０３÷（６．１×１０−４ｍ）×６．３３６×１０１５公転×１．０５８×１０−１０ｍ＝１．３５６×１０−３２Ｊｍ×３．８７３×１０３＝５．２５２×１０−２９Ｊｍ
この場の引力は、地上の１５×１０６倍です。
・太陽の深さ５×１０５Ｋｍの温度は１１．７×１０６℃です。温度１／２＝３．４２８×１０３℃  Ａ＝３．４２８×１０３
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×３．４２８×１０３÷（６．１×１０−４ｍ）×６．３３６×１０１５公転×１．０５８×１０−１０ｍ＝１．３５６×１０−３２Ｊｍ×３．４２８×１０３＝４．６４８×１０−２９Ｊｍ
この場の引力は、地上の１１．７×１０６倍です。
・太陽の深さ４×１０５Ｋｍの温度は８．５×１０６℃です。温度１／２＝２．９１５×１０３℃  Ａ＝２．９１５×１０３
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×２．９１５×１０３÷（６．１×１０−４ｍ）×６．３３６×１０１５公転×１．０５８×１０−１０ｍ＝１．３５６×１０−３２Ｊｍ×２．９１５×１０３＝３．９５３×１０−２９Ｊｍ
この場の引力は、地上の８．５×１０６倍です。
・太陽の深さ３×１０５Ｋｍの温度は５．２５×１０６℃です。温度１／２＝２．２９１×１０３℃  Ａ＝２．２９１×１０３
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×２．２９１×１０３÷（６．１×１０−４ｍ）×６．３３６×１０１５公転×１．０５８×１０−１０ｍ＝１．３５６×１０−３２Ｊｍ×２．２９１×１０３＝３．１０７×１０−２９Ｊｍ
この場の引力は、地上の５．２５×１０６倍です。
・太陽の深さ２×１０５Ｋｍの温度は２×１０６℃です。温度１／２＝１．４１４×１０３℃  Ａ＝１．４１４×１０３
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×１．４１４×１０３÷（６．１×１０−４ｍ）×６．３３６×１０１５公転×１．０５８×１０−１０ｍ＝１．３５６×１０−３２Ｊｍ×１．４１４×１０３＝１．９１７×１０−２９Ｊｍ
この場の引力は、地上の２×１０６倍です。
・太陽の深さ１０５Ｋｍの温度は１０６℃です。温度１／２＝１０３℃  Ａ＝１０３
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×１０３÷（６．１×１０−４ｍ）×６．３３６×１０１５公転×１．０５８×１０−１０ｍ＝１．３５６×１０−３２Ｊｍ×１０３＝１．３５６×１０−２９Ｊｍ
この場の引力は、地上の１０６倍です。
・太陽の深さ１０４Ｋｍの温度は１０５℃です。温度１／２＝３．１６２×１０２℃  Ａ＝３．１６２×１０２
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×３．１６２×１０２÷（６．１×１０−４ｍ）×６．３３６×１０１５公転×１．０５８×１０−１０ｍ＝１．３５６×１０−３２Ｊｍ×３．１６２×１０２＝４．２８８×１０−３０Ｊｍ
この場の引力は、地上の１０５倍です。
・太陽の深さ１０３Ｋｍの温度は１０４℃です。温度１／２＝１０２℃  Ａ＝１０２
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×１０２÷（６．１×１０−４ｍ）×６．３３６×１０１５公転×１．０５８×１０−１０ｍ＝１．３５６×１０−３２Ｊｍ×１０２＝１．３５６×１０−３０Ｊｍ
この場の引力は、地上の１０４倍です。
・太陽の深さ４×１０２Ｋｍの温度は６．４×１０３℃です。温度１／２＝８０℃  Ａ＝８０
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×８０÷（６．１×１０−４ｍ）×６．３３６×１０１５公転×１．０５８×１０−１０ｍ＝１．３５６×１０３２Ｊｍ×８０＝１．０８５×１０−３０Ｊｍ
この場の引力は、地上の６．４×１０３倍です。
・太陽の深さ１Ｋｍの温度は４．３×１０３℃です。温度１／２＝６５．５７４℃  Ａ＝６５．５７４
１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×６５．５７４÷（６．１×１０−４ｍ）×６．３３６×１０１５公転×１．０５８×１０−１０ｍ＝１．３５６×１０−３２Ｊｍ×６５．５７４＝８．８９２×１０−３１Ｊｍ
この場の引力は、地上の４．３×１０３倍です。
１０．万有引力定数が１Ｊｍ／Ｋｇ２とはどのような現象か。空間が縮小するとはどのような事か。
▲１▼万有引力定数が１Ｊｍ／Ｋｇ２になる場合、Ａはいくらか。
６．６７２×１０−１１Ｊｍ×Ａ２＝１Ｊｍ
Ａ２＝１．４９８８×１０１０
Ａ＝１．２２４×１０５
Ａは１．２２４×１０５です。
この場の温度は、１．５×１０１０℃です。
この場の電子のラブの公転軌道は、１．０５８×１０−１０ｍ÷（１．２２４×１０５）＝８．６４４×１０−１６ｍです。
この場の電子のラブのエネルギーは、８．１８７×１０−１４Ｊ×１．２２４×１０５＝１０−８Ｊです。
この場の電子のラブが１秒間に作る引力と成る磁気の光子の公転軌道エネルギーは、１．３５６×１０−３２Ｊｍ×１．２２４×１０５＝１．６６０×１０−２７Ｊｍです。
この場の引力は、地球の引力の１．５×１０１０倍です。
この場の万有引力定数は、６．６７２×１０−１１Ｊｍ／Ｋｇ２×１．４９８８×１０１０＝１Ｊｍ／Ｋｇ２
▲２▼地上で、１Ｊｍの引力を作るためには、１ｍ離れた所に何Ｋｇの物体が必要か。
物体の質量をｘＫｇとする。
１Ｋｇ：ｘ２Ｋｇ＝６．６７２×１０−１１Ｊｍ：１Ｊｍ
ｘ２＝１÷（６．６７２×１０−１１）＝１．４９８８×１０１０
ｘ＝１．２２４×１０５
地上で、１Ｊｍの引力を作るためには、１ｍ離れた所に１．２２４×１０５Ｋｇの物体が必要です。
▲３▼万有引力定数が１Ｊｍの場では、電子のラブの公転軌道は、地上の１．２２４×１０５分の１です。
万有引力定数が１Ｊｍの場では、空間が地上の１．２２４×１０５分の１に成ります。
これが、空間が縮小するという事です。
▲４▼空間が縮小するとはどのような事か。
場の温度がＡ２℃の場合、電子のラブの公転軌道は、地上のＡ分の１になる。
それによって、空間はＡ分の１に縮小する。
▲５▼万有引力定数が１Ｊｍの場では、６．６７２×１０−１１Ｊｍの引力を得るためには、何ｍ離れたらよいか。
ｘｍ離れたら６．６７２×１０−１１Ｊｍの引力に成るとする。
１ｍ：１÷ｘ２ｍ＝６．６７２×１０−１１Ｊｍ：１Ｊｍ
ｘ２＝６．６７２×１０−１１
ｘ＝８．１６８×１０−６（ｍ）
万有引力定数が１Ｊｍの場では、６．６７２×１０−１１Ｊｍの引力を得るためには、８．１６８×１０−６ｍ離れたらよい。
１ｍ÷（８．１６８×１０−６ｍ）＝１．２２４×１０５
万有引力定数が１Ｊｍの場では、空間が地上の１．２２４×１０５分の１に縮小します。
これが、空間は縮小することの現象です。
即ち、高エネルギーの場では、電子のラブの公転軌道はＡ分の１になり、空間はＡ分の１に縮小する。
また、エネルギーはＡ倍に成る。
１１．太陽より大きな星の中はどのようであるか。
太陽の中心は１５×１０６℃です。Ａ＝３．８７３×１０３です。
この場の引力は、地上の１５×１０６倍で、万有引力定数は、
６．６７２×１０−１１Ｊｍ×１５×１０６＝１０−３Ｊｍです。
太陽より大きな星で、星の中央の温度が、地球の中央の１００倍である場合。
温度は、１．５×１０９℃です。
Ａ２＝１５×１０８
Ａ＝３．８７３×１０４です。
この星の中央の万有引力係数は、６．６７２×１０−１１Ｊｍ×１５×１０８＝１０−１Ｊｍです。
この場の、電子のラブの公転軌道は、１．０５８×１０−１０ｍ÷（３．８７３×１０４）＝２．７３２×１０−１５ｍです。
この場の、電子のラブのエネルギーは、８．１８７×１０−１４Ｊ×３．８７３×１０４＝３．１７１×１０−９Ｊです。
この場の、陽子のラブの公転軌道は、５．７６４×１０−１４ｍ÷（３．８７３×１０４）＝１．４８８×１０−１８ｍです。
この場の、陽子のラブのエネルギーは、１．５×１０−１０Ｊ×３．８７３×１０４＝５．８１０×１０−６Ｊです。
この場の光子の公転軌道エネルギーは、１．２３３×１０−４１Ｊｍ×３．８７３×１０４＝４．７７５×１０−３７Ｊｍです。
この場の、１電子のラブが１秒間に作る、引力と成る磁気の光子の公転軌道エネルギーは、
１．３５６×１０−３２Ｊｍ×３．８７３×１０４＝５．２５２×１０−２８Ｊｍです。
この場の、１電子のラブが１秒間に作る、熱と成る電気の光子のエネルギーは、
３．７８１×１０−２１Ｊ×３．８７３×１０４＝３．８７３×１０４℃です。
この星が爆発し、中央は引力が大きいため壊れず、ブラックホールになったと考えられる。
１２．ブラックホールの場はどのようであるか。
ブラックホールは、太陽の質量の３０倍の星が爆発した後に残る、高エネルギーの中央部分が収縮したものです。
太陽より大きな星で、星の中央の温度が太陽の１００倍である場合。
この星の中央の温度は、１５×１０６℃×１００＝１５×１０８℃です。
この星の中央の万有引力係数は、６．６７２×１０−１１Ｊｍ×１５×１０８＝１０−１Ｊｍです。
しかし、ブラックホールになると、更に収縮するので、
ブラックホールの場は、万有引力係数が１Ｊｍであると考える。
この場の温度は、１．５×１０１０℃です。引力は地上の１．５×１０１０倍です。
これがブラックホールから放出している。
「熱の輪」である、２．０６６×１０−５ｍの軌道の電気の光子は、熱に成ります。
「引力の輪」である、６．１×１０−４ｍの軌道の磁気の光子は、引力に成ります。
ブラックホールの性質を示す。
2007274890.tif 000005
2007274890.tif 000006
ブラックホールの中の電子のラブと陽子のラブは自転し公転しているので、熱となる電気の光子と引力となる磁気の光子を放出する。
ブラックホールは一定方向に自転するので、上下にジェット噴射する。
ブラックホールのジェット噴射は、ブラックホールの中央でできた電気の光子と磁気の光子です。ブラックホールのジェット噴射は、地球の地磁気に相当します。
ブラックホールでできた磁気の光子や電気の光子は、地球の地熱や引力の様に中央から外側に放射状に放出します。
ブラックホールが光子を吸収する現象は、ブラックホールの光子の公転軌道エネルギーが、
１．２３３×１０−４１Ｊｍ×１．２２４７×１０５＝１．５１×１０−３６Ｊｍであり、光子の軌道エネルギーは１．２３３×１０−４１Ｊｍであるので、光子はブラックホールの光子の軌道エネルギーの中に吸収されてしまう事です。
１３．中性子星の場はどのようであるか。
中性子星は、太陽の質量の８倍以上の星が爆発してできた、高エネルギーの中央部が収縮してできたものです。
太陽の質量の８倍の星の中央部の温度は、太陽の中央の６４倍ですから、
１５×１０６×６４＝９．６×１０８℃です。
Ａ２＝９．６×１０８
Ａ＝３．０９８×１０４です。
この場の万有引力は、地上の９．６×１０８倍ですから、
６．６７２×１０−１１Ｊｍ×９．６×１０８＝６．４０５×１０−２Ｊｍです。
中性子星は太陽の質量の８倍以上の星が爆発し、中央の部分が収縮してできたものですから、中性子星の中央の温度は、これより大きいです。
中性子星の中央の温度を１０倍とします。
中性子星になって、１０１／２＝３．１６２分の１の大きさに収縮しました。
中性子の中央の温度は、９．６×１０８℃×１０＝９．６×１０９℃です。
それで、中性子星のＡ２は、９．６×１０９です。
中性子星のＡは、９．７９８×１０４です。
中性子星の性質を示す。
2007274890.tif 000007
2007274890.tif 000008
中性子の電子のラブと中性子の陽子のラブの性質については、２００６年１２月６日に提出した、特願２００６−３５７０９６に記した。
中性子の１秒間の公転数は、３．４５５×１０１２公転であるので、電子のラブの公転数の、６．３３６×１０１５公転÷（３．４５５×１０１２公転）＝１８３４  １８３４分の１です。この事によって、中性子の１電子のラブが１秒間に作る熱と成る電気の光子のエネルギーと引力と成る磁気の光子の軌道エネルギーは、小さくなっている。
地表のエネルギーの、
９．７９８×１０４÷１８３４＝５．３４２×１０倍になっている。
【発明の効果】
【０００６】次の事が理解できた。
１．温度がＡ２の場では、ラブの公転軌道のエネルギーはＡ倍に成る。電子のラブの数はＡ倍に成るので、光子の数もＡ倍に成り、光子の軌道エネルギーもＡ倍に成る。
２．温度がＡ２の場では、電子のラブの公転軌道は、１．０５８×１０−１０ｍ÷Ａであり、Ａ分の１に縮小する。これは、空間の縮小である。
３．ブラックホールの万有引力係数は１Ｊｍです。
４．ブラックホールでは光子が吸収される。この現象は、ブラックホールでできる光子の軌道エネルギーは、１．２２４７×１０５倍であるので、光子の軌道エネルギーはこの中に吸収される事です。
５．ブラックホールのジェット噴射は、地球の地磁気に相当する。ブラックホールの中央で作られた電気の光子と磁気の光子は、ブラックホールの自転により、両極より放出する。そしてブラックホールを取り囲んでいる。
６．ブラックホールで作られた電気の光子と磁気の光子は、地球の地熱や引力と同じように、ブラックホールの中から放射状に放出する。
７．ブラックホールでは、１電子のラブが１秒間に作る引力と成る磁気の光子の公転軌道エネルギーは、１．６６１×１０−２７Ｊｍであり、１電子のラブが１秒間に作る熱と成る電気の光子のエネルギーは、１．２２４７×１０５℃である。これは、地球の１．２２４７×１０５倍であり、非常に大きい。
８．中性子星のパルサーは、地球の地磁気に相当する。中性子星の中央で作られた電気の光子と磁気の光子は、中性子星の自転により、両極より放出する。これがパルサーです。そして中性子星を取り囲んでいる。
９．中性子星で作られた電気の光子と磁気の光子は、地球の地熱や引力と同じように、中性子星の中から放射状に放出する。
１０．中性子星では、１電子のラブが１秒間に作る引力と成る磁気の光子の公転軌道エネルギーは、７．２３９×１０−３１Ｊｍであり、１電子のラブが１秒間に作る熱と成る電気の光子のエネルギーは、５．３４３×１０℃である。これは、地球の５３．４３倍であり、非常に小さい。
１１．２００７年２月１８日に提出した特許願では、１．０５８×１０−１０ｍの中に入る電子のラブの数が、地上は１個、高エネルギーの場ではＡ個とし、考えている。
今回は、１．０５８×１０−１０ｍの中に入る電子のラブの数が、地上は１とすると、高エネルギーの場ではＡ倍とし、考えている。
それで、ラブの軌道エネルギーもＡ倍になる。Ａ倍の電子のラブが作る光子数がＡ倍になるので、光子の軌道エネルギーもＡ倍になる。
高エネルギーの場で、１原子が１秒間に作る熱と成る電気の光子のエネルギーは、
その場の光子の公転軌道エネルギー÷熱の軌道×１秒間の公転数＝１．２３３×１０−４１Ｊｍ×Ａ÷（２．０６６×１０−５ｍ）×６．３３６×１０１５公転＝３．７８１×１０−２１Ｊｍ×Ａ＝Ａ℃  である。
高エネルギーの場で、１原子が１秒間に作る引力と成る磁気の光子の公転軌道エネルギーは、
その場の光子の公転軌道エネルギー÷引力の軌道×１秒間の公転数×１．０５８×１０−１０ｍ＝１．２３３×１０−４１Ｊｍ×Ａ÷（６．１×１０−４ｍ）×６．３３６×１０１５公転×１．０５８×１０−１０ｍ＝１．３５６×１０−３２Ｊｍ×Ａ  です。
【図面の簡単な説明】
【０００７】
【図１】▲１▼引力ができるためには磁気の進む方向が反対で、公転軌道が同じでなければならない。▲２▼１原子から出発する光子の軌道は次第に大きくなるので、たくさんの波長があります。しかし、１原子で引力に成る磁気の光子の軌道エネルギーは定数です。１．３５６×１０−３２Ｊです。この事は、１原子から出発する磁気の光子の特定の公転軌道エネルギーが引力に成っていることを示します。
【図２】地表から出発する光子は遠赤外線で軌道は２．０６６×１０−５ｍで、波長は、４．１３２×１０−５ｍです。地表から出発した光子は波長を大きくしながら上にあがります。そして、光子の軌道が６．１×１０−４ｍで、波長が１．２２×１０−３ｍに成った時、引力になります。
【図３】場の温度がＡ２℃である場合。電子のラブの公転軌道は、１．０５８×１０−１０ｍ÷Ａ  です。１．０５８×１０−１０ｍの公転軌道の中に、Ａ倍の電子のラブが存在します。それで、１．０５８×１０−１０ｍのエネルギーは、地上のＡ倍です。この場の１．０５８×１０−１０ｍのエネルギーは、８．１９×１０−１４Ｊ×Ａです。それで、この場のラブの軌道エネルギーは、軌道×軌道のエネルギー＝１．０５８×１０−１０ｍ×８．１９×１０−１４Ｊ×Ａ＝８．６６５×１０−２４Ｊｍ×Ａです。この場では、地上のＡ倍の電子のラブが作る光子の数も地上のＡ倍になります。それで、光子の軌道エネルギーもＡ倍に成ります。この場の、光子の公転軌道エネルギーは、１．２３３×１０−４１Ｊｍ×Ａです。この場の、光子の自転軌道エネルギーは、６．１１２×１０−５７Ｊｍ×Ａです。
【図４】ブラックホールのジェット噴射は、地球の地磁気に相当する。ブラックホールの中央で作られた電気の光子と磁気の光子は、ブラックホールの自転により、両極より放出する。これがジェット噴射です。そしてブラックホールを取り囲んでいる。ブラックホールで作られた電気の光子と磁気の光子は、地球の地熱や引力と同じように、ブラックホールの中から放射状に放出する。ブラックホールでは、１電子のラブが１秒間に作る引力と成る磁気の光子の公転軌道エネルギーは、１．６６１×１０−２７Ｊｍであり、１電子のラブが１秒間に作る熱と成る電気の光子のエネルギーは、１．２２４７×１０５℃である。これは、地球の１．２２４７×１０５倍であり、非常に大きい。
【図５】中性子星のパルサーは、地球の地磁気に相当する。中性子星の中央で作られた電気の光子と磁気の光子は、中性子星の自転により、両極より放出する。これがパルサーです。パルサーは、中性子星を取り囲んでいる。中性子星で作られた電気の光子と磁気の光子は、地球の地熱や引力と同じように、中性子星の中から放射状に放出する。中性子星では、１電子のラブが１秒間に作る引力と成る磁気の光子の公転軌道エネルギーは、７．２３９×１０−３１Ｊｍであり、１電子のラブが１秒間に作る熱と成る電気の光子のエネルギーは、５．３４３×１０℃である。これは、地球の５３．４３倍であり、非常に小さい。
【符号の説明】
【０００８】１  反対方向に進む磁気の光子で、同じ軌道の光子がかみ合う。
２  引力になる特定の公転軌道
３  ２．０６６×１０−５ｍの「熱の軌道」
４  ６．１×１０−４ｍの「引力の軌道」
５  Ａ倍の電子のラブ
６  Ａ倍の軌道エネルギー
７  ブラックホールの中央
８  ブラックホールの中央から放出する電気の光子と磁気の光子＝ジェット噴射
９  ブラックホールの中から放射状に放出する磁気の光子と電気の光子
１０  中性子星の中央
１１  中性子星の中央から放出する電気の光子と磁気の光子＝パルサー
１２  中性子星の中から放射状に放出する磁気の光子と電気の光子
１３  地表
【図１】
2007274890.tif 000012
【図２】
2007274890.tif 000013
【図３】
2007274890.tif 000014
【図４】
2007274890.tif 000015
【図５】
2007274890.tif 000016